(57)【要約】【課題】釣り用ギャフは、一般的に先端のフックを魚の胴体部分に引っ掛けて、魚を取り込む形態である。本発明は、魚引っ掛け用フックを魚の口部に引っ掛ける形態の釣り用ギャフを提供する。この場合、主としてフックを魚の下顎に引っ掛けることに適した形態とし、魚が暴れた場合等においても、魚がフックから外れないようにして、魚を引き揚げることができ、また携行する際にフックによって怪我しない形態の釣り用ギャフを提供する。【解決手段】釣り用ギャフは、フックの先端に対して近接または当接する前進位置と、前記フックに魚を引っ掛け可能位置まで前記フックの先端から離れる後退位置とに移動可能に、本体部にホールドレバーを設け、ホールドレバーの前進位置は、フックに引っ掛かった魚を外れないように阻止する阻止状態、及びフックの先端部による怪我防止状態とする。【選択図】図３
2018033342.tif 000002
【特許請求の範囲】
【請求項１】
前部に魚引っ掛け用フックを備え、
前記フックの先端に近接または当接する前進位置と、前記フックの先端から離れ前記フックに魚を引っ掛け可能な後退位置とに動作可能なホールドレバーを備える、
ことを特徴とする釣り用ギャフ。
【請求項２】
前部に魚引っ掛け用フックを備え、
前記フックの先端に近接または当接する前進位置と、前記フックの先端から離れ前記フックに魚を引っ掛け可能な後退位置とに動作可能なホールドレバーと、
前記ホールドレバーを動作させるための操作部と、
前記操作部の動作を前記ホールドレバーに伝達する作動機構部と、
を備えることを特徴とする釣り用ギャフ。
【請求項３】
後部に握り部を備え並行配置された第１本体部材と第２本体部材が先方へ延びた本体部と、
前記本体部から先方へ延びた魚引っ掛け用フックと、
前記第１本体部材と前記第２本体部材との間に配置され、前記フックの先端に対して近接または当接する前進位置と、前記フックに魚を引っ掛け可能位置まで前記フックの先端から離れた後退位置とに移動可能なホールドレバーと、
前記第１本体部材と前記第２本体部材との間に配置され、前記ホールドレバーを動作させるための操作部と、
前記第１本体部材と前記第２本体部材との間に配置され、前記操作部の動きを前記ホールドレバーに伝達する作動機構部と、
を備えることを特徴とする釣り用ギャフ。
【請求項４】
前記ホールドレバーを前記前進位置と前記後退位置とに案内する溝が、前記第１本体部材の内面、前記第２本体部材の内側面、または前記第１本体部材及び前記第２本体部材の双方の内側面に形成された、
ことを特徴とする請求項３に記載の釣り用ギャフ。
【請求項５】
前記ホールドレバーが前記前進位置へ進出するための作用力を生じる第１バネ部材を備え、
前記第１バネ部材の作用力に抗した前記操作部の動きにて、前記ホールドレバーが前記前進位置から前記後退位置へ移動する構成である、
ことを特徴とする請求項２乃至４のいずれかに記載の釣り用ギャフ。
【請求項６】
前記ホールドレバーが前記前進位置を保つ前進ロック状態とする第１ロック機構を備え、
前記第１ロック機構は、操作可能に設けられ前記前進ロック状態を解除するロックレバーを有する、
ことを特徴とする請求項１または５に記載の釣り用ギャフ。
【請求項７】
前記ホールドレバーが前記後退位置を保つ後退ロック状態とする第２ロック機構を備え、
前記第２ロック機構は、操作可能に設けられ前記後退ロック状態を解除するロックレバーを有する、
ことを特徴とする請求項６に記載の釣り用ギャフ。
【請求項８】
前記ホールドレバーが前記前進位置を保持する第１ロック機構を備え、
前記第１ロック機構は、
前記操作部に設けられた第１係止部と、
操作可能に設けられ前記第１係止部に係脱するロックレバーと、
前記ロックレバーを前記第１係止部に係止するよう付勢する第２バネと、を備え、
前記ロックレバーが前記第１係止部に係止した状態にて前記ホールドレバーが前記前進位置を保つ前進ロック状態となり、前記ロックレバーが前記第２バネの付勢に抗して前記第１係止部から脱した状態にて前進ロック解除状態となり、前記前進ロック解除状態にて前記操作部にて前記ホールドレバーが前記後退位置へ移動可能状態となる、
ことを特徴とする請求項５に記載の釣り用ギャフ。
【請求項９】
前記ホールドレバーが前記後退位置を保持する第２ロック機構を備え、
前記第２ロック機構は、
前記操作部に設けられた第２係止部と、
操作可能に設けられ前記第２係止部に係脱するロックレバーと、
前記ロックレバーを前記第２係止部に係止するよう付勢する第２バネと、を備え、
前記ロックレバーが前記第２係止部に係止した状態にて前記第１バネ部材が作用力を蓄積し前記ホールドレバーが前記後退位置に保持される後退ロック状態となり、前記ロックレバーが前記第２バネの付勢に抗して前記第２係止部から脱した状態にて後退ロック解除状態となり、前記後退ロック解除状態にて前記ホールドレバーが前記第１バネ部材の作用力にて前記前進位置へ進出可能状態となる、
ことを特徴とする請求項５に記載の釣り用ギャフ。
【請求項１０】
請求項６及び請求項７の組み合わせ、または請求項８及び請求項９の組み合わせであることを特徴とする釣り用ギャフ。
【請求項１１】
前記フックは、前記本体部に固定される基部と、前記基部から先方へ延び後方へ屈曲した中間部と、前記中間部から斜め後方へ向けて尖った先端部を備え、
前記前進位置に進出した前記ホールドレバーの先端位置が前記中間部よりも後方位置となる、
ことを特徴とする請求項１乃至１０のいずれかに記載の釣り用ギャフ。
【請求項１２】
前記前進位置に進出した前記ホールドレバーの先端部が、前記フックの尖った先端の延長線上で前記フックの尖った先端に近接または当接する位置である、
ことを特徴とする請求項１乃至１１のいずれかに記載の釣り用ギャフ。
【請求項１３】
前記ホールドレバーの先端部に、前記フックの尖った先端が没入する凹部または溝を設けた、
ことを特徴とする請求項１乃至１１のいずれかに記載の釣り用ギャフ。
【請求項１４】
後部に握り部を備え並行配置された第１本体部材と第２本体部材が先方へ延びた本体部と、
前記本体部から先方へ延びた魚引っ掛け用フックと、
前記第１本体部材と前記第２本体部材との間に配置され、前記フックの先端に対して近接または当接する前進位置と、前記フックに魚を引っ掛け可能位置まで前記フックの先端から離れた後退位置とに移動可能なホールドレバーと、
前記ホールドレバーが前記前進位置へ進出するための作用力を生じる第１バネ部材と、
前記ホールドレバーが前記前進位置を保つ前進ロック状態とロックレバーの動作にて前進ロック状態が解除される第１ロック機構と、
前記前進ロック状態が解除された状態にて前記第１バネ部材の作用力に抗して前記ホールドレバーを前記前進位置から前記後退位置へ移動させるための操作部と、
前記操作部の動きを前記ホールドレバーに伝達する作動機構部と、
を備え、
前記第１本体部材または前記第２本体部材の一方の内側面に、前記魚引っ掛け用フック、前記ホールドレバー、前記第１バネ部材、前記第１ロック機構、前記操作部、及び前記作動機構部が取り付けられ、
前記第１本体部材または前記第２本体部材の他方が、前記一方に所定間隔を存して外面からネジ結合された、
ことを特徴とする釣り用ギャフ。
【請求項１５】
後部に握り部を備える本体部に、前記魚引っ掛け用フック、前記ホールドレバー、前記操作部、前記作動機構部、前記第１ロック機構、前記第２ロック機構が設けられ、
前記握り部近傍の前記本体部の外側面部には、前記ロックレバーが突出配置され、前記操作部が前記ロックレバーの反対側に突出配置され、
前記ロックレバーと前記操作部は、前記握り部を握る片手にて操作可能配置である、
ことを特徴とする請求項１０に記載の釣り用ギャフ。
【発明の詳細な説明】
【技術分野】
【０００１】
本発明は、釣った魚を引っ掛けて取り込むために使用される釣り用ギャフに関する。
【背景技術】
【０００２】
海釣り等において大きな魚を釣った場合、魚が逃げないようにして取り込むために、柄の先に取り付けた鈎状に曲がり先端の尖ったフックを魚に引っ掛けて、魚を引き上げる釣り用ギャフが使用される。このように、釣り用ギャフは、一般的に先端のフックを魚の胴体部分に引っ掛けて、魚を取り込むように構成されている。
そのような釣り用ギャフにおいて、魚がフックの基部側に載って不安定な状態となり、柄を引き寄せて確実に魚を取り込むことが難しい状態を改良するものとして、先端のフックの基部側にフックに係った魚を支持する支持体を設けたものがある（特許文献１）。
【先行技術文献】
【特許文献】
【０００３】
【特許文献１】特開２００９−００５６１７号公報
【発明の概要】
【発明が解決しようとする課題】
【０００４】
特許文献１にも示されるように、釣り用ギャフは、一般的に先端のフックを魚の胴体部分に引っ掛けて、魚を取り込む形態である。
【０００５】
本発明は、このようなに先端の尖った魚引っ掛け用フックを魚の胴体部分に引っ掛ける形態とは異なり、魚引っ掛け用フックを魚の口部に引っ掛ける形態に適した釣り用ギャフを提供するものである。
即ち、本発明に係る釣り用ギャフは、釣り糸で釣り上げた魚に対して、柄に相当する握り部の先に取り付けた魚引っ掛け用フックを魚の口部、即ち顎（又は唇ともいう）の一部に引っ掛け可能な形態とする。
この場合、主としてフックを魚の下顎に引っ掛けることに適した形態とし、魚が暴れた場合等においても、魚がフックから外れないように魚を保持できる釣り用ギャフを提供する。
【０００６】
また、本発明は、片手で持った状態でフックを魚の下顎に引っ掛ける操作が、その片手で容易に行える短尺形態の釣り用ギャフを提供するものである。
【０００７】
更に、持ち歩きや、釣り人が腰に取り付けたベルト等にぶら下げ状態で携行することに適した短尺タイプの釣り用ギャフを提供すると共に、その持ち歩きや携行の際に、先鋭なフック先端部に触れて怪我しないための保護機能を備えた釣り用ギャフを提供する。
【０００８】
このため、本発明に係る釣り用ギャフは、フック先端部に対して前進・後退動作するホールドレバーを設け、ホールドレバーの後退にてフックを魚の下顎に引っ掛け可能状態とし、ホールドレバーの前進にてフックに引っ掛かった魚を外れないように保持する保持状態とする。
【０００９】
また、本発明に係る釣り用ギャフは、ホールドレバーの前進状態を保持するロック機構を設け、これによって、釣り用ギャフの持ち歩きや、釣り用ギャフを釣り人が腰に取り付けたベルト等にぶら下げ状態で携行する際等において、先鋭なフック先端部に触れて怪我しない状態を保持できるようにする。
【００１０】
更に、本発明は、ホールドレバーの前進・後退動作を速やかに操作可能な釣り用ギャフを提供する。
【課題を解決するための手段】
【００１１】
第１発明の釣り用ギャフは、
前部に魚引っ掛け用フックを備え、
前記フックの先端に近接または当接する前進位置と、前記フックの先端から離れ前記フックに魚を引っ掛け可能な後退位置とに動作可能なホールドレバーを備える、
ことを特徴とする。
【００１２】
第２発明の釣り用ギャフは、
前部に魚引っ掛け用フックを備え、
前記フックの先端に近接または当接する前進位置と、前記フックの先端から離れ前記フックに魚を引っ掛け可能な後退位置とに動作可能なホールドレバーと、
前記ホールドレバーを動作させるための操作部と、
前記操作部の動作を前記ホールドレバーに伝達する作動機構部と、
を備えることを特徴とする。
【００１３】
第３発明の釣り用ギャフは、
後部に握り部を備え並行配置された第１本体部材３Ａと第２本体部材３Ｂが先方へ延びた本体部と、
前記本体部から先方へ延びた魚引っ掛け用フックと、
前記第１本体部材３Ａと前記第２本体部材３Ｂとの間に配置され、前記フックの先端に対して近接または当接する前進位置と、前記フックに魚を引っ掛け可能位置まで前記フックの先端から離れた後退位置とに移動可能なホールドレバーと、
前記第１本体部材３Ａと前記第２本体部材３Ｂとの間に配置され、前記ホールドレバーを動作させるための操作部と、
前記第１本体部材３Ａと前記第２本体部材３Ｂとの間に配置され、前記操作部の動きを前記ホールドレバーに伝達する作動機構部と、
を備えることを特徴とする。
【００１４】
第４発明の釣り用ギャフは、第３発明において、
前記ホールドレバーを前記前進位置と前記後退位置とに案内する溝が、前記第１本体部材３Ａの内面、前記第２本体部材３Ｂの内側面、または前記第１本体部材３Ａ及び前記第２本体部材３Ｂの双方の内側面に形成された、
ことを特徴とする。
【００１５】
第５発明の釣り用ギャフは、第２発明乃至第４発明のいずれかにおいて、
前記ホールドレバーが前記前進位置へ進出するための作用力を生じる第１バネ部材を備え、
前記第１バネ部材の作用力に抗した前記操作部の動きにて、前記ホールドレバーが前記前進位置から前記後退位置へ移動する、
ことを特徴とする。
【００１６】
第６発明の釣り用ギャフは、第１発明または第５発明において、
前記ホールドレバーが前記前進位置を保つ前進ロック状態とする第１ロック機構を備え、
前記第１ロック機構は、操作可能に設けられ前記前進ロック状態を解除するロックレバーを有する、
ことを特徴とする。
【００１７】
第７発明の釣り用ギャフは、第６発明において、
前記ホールドレバーが前記後退位置を保つ後退ロック状態とする第２ロック機構を備え、
前記第２ロック機構は、操作可能に設けられ前記後退ロック状態を解除するロックレバーを有する、
ことを特徴とする。
【００１８】
第８発明の釣り用ギャフは、第５発明において、
前記ホールドレバーが前記前進位置を保持する第１ロック機構を備え、
前記第１ロック機構は、
前記操作部に設けられた第１係止部と、
操作可能に設けられ前記第１係止部に係脱するロックレバーと、
前記ロックレバーを前記第１係止部に係止するよう付勢する第２バネと、を備え、
前記ロックレバーが前記第１係止部に係止した状態にて前記ホールドレバーが前記前進位置を保つ前進ロック状態となり、前記ロックレバーが前記第２バネの付勢に抗して前記第１係止部から脱した状態にて前進ロック解除状態となり、前記前進ロック解除状態にて前記操作部にて前記ホールドレバーが前記後退位置へ移動可能状態となる、
ことを特徴とする。
【００１９】
第９発明の釣り用ギャフは、第５発明において、
前記ホールドレバーが前記後退位置を保持する第２ロック機構を備え、
前記第２ロック機構は、
前記操作部に設けられた第２係止部と、
操作可能に設けられ前記第２係止部に係脱するロックレバーと、
前記ロックレバーを前記第２係止部に係止するよう付勢する第２バネと、を備え、
前記ロックレバーが前記第２係止部に係止した状態にて前記第１バネ部材が作用力を蓄積し前記ホールドレバーが前記後退位置に保持される後退ロック状態となり、前記ロックレバーが前記第２バネの付勢に抗して前記第２係止部から脱した状態にて後退ロック解除状態となり、前記後退ロック解除状態にて前記ホールドレバーが前記第１バネ部材の作用力にて前記前進位置へ進出可能状態となる、
ことを特徴とする。
【００２０】
第１０発明の釣り用ギャフは、
第６発明及び第７発明の組み合わせ、または第８発明及び第９発明の組み合わせであることを特徴とする。
【００２１】
第１１発明の釣り用ギャフは、第１発明乃至第１０発明のいずれかにおいて、
前記フックは、前記本体部に固定される基部と、前記基部から先方へ延び後方へ屈曲した中間部と、前記中間部から斜め後方へ向けて尖った先端部を備え、
前記前進位置に進出した前記ホールドレバーの先端位置が前記中間部よりも後方位置となる、
ことを特徴とする。
【００２２】
第１２発明の釣り用ギャフは、第１発明乃至第１１発明のいずれかにおいて、
前記前進位置に進出した前記ホールドレバーの先端部が、前記フックの尖った先端の延長線上で前記先端に近接または当接する位置である、
ことを特徴とする。
【００２３】
第１３発明の釣り用ギャフは、第１発明乃至第１１発明のいずれかにおいて、
前記ホールドレバーの先端部に、前記フックの尖った先端が没入する凹部または溝を設けた、
ことを特徴とする。
【００２４】
第１４発明の釣り用ギャフは、
後部に握り部を備え並行配置された第１本体部材３Ａと第２本体部材３Ｂが先方へ延びた本体部と、
前記本体部から先方へ延びた魚引っ掛け用フックと、
前記第１本体部材３Ａと前記第２本体部材３Ｂとの間に配置され、前記フックの先端に対して近接または当接する前進位置と、前記フックに魚を引っ掛け可能位置まで前記フックの先端から離れた後退位置とに移動可能なホールドレバーと、
前記ホールドレバーが前記前進位置へ進出するための作用力を生じる第１バネ部材と、
前記ホールドレバーが前記前進位置を保つ前進ロック状態とロックレバーの動作にて前進ロック状態が解除される第１ロック機構と、
前記前進ロック状態が解除された状態にて前記第１バネ部材の作用力に抗して前記ホールドレバーを前記前進位置から前記後退位置へ移動させるための操作部と、
前記操作部の動きを前記ホールドレバーに伝達する作動機構部と、
を備え、
前記第１本体部材３Ａまたは前記第２本体部材３Ｂの一方の内側面に、前記魚引っ掛け用フック、前記ホールドレバー、前記第１バネ部材、前記第１ロック機構、前記操作部、及び前記作動機構部が取り付けられ、
前記第１本体部材３Ａまたは前記第２本体部材３Ｂの他方が、前記一方に所定間隔を存して外面からネジ結合された、
ことを特徴とする。
【００２５】
第１５発明の釣り用ギャフは、第１０発明において、
後部に握り部を備える本体部に、前記魚引っ掛け用フック、前記ホールドレバー、前記操作部、前記作動機構部、前記第１ロック機構、前記第２ロック機構が設けられ、
前記握り部近傍の前記本体部の外側面部には、前記ロックレバーが突出配置され、前記操作部が前記ロックレバーの反対側に突出配置され、
前記ロックレバーと前記操作部は、前記握り部を握る片手にて操作可能配置である、
ことを特徴とする。
【００２６】
第１６発明の釣り用ギャフは、第１発明乃至第１５発明のいずれかにおいて、
後端から前記フックの先までの全長が、２５ｃｍ乃至４０ｃｍの携行タイプである、
ことを特徴とする。
【発明の効果】
【００２７】
本発明の釣り用ギャフは、ホールドレバーが後退位置において、釣り上げた魚の口に目掛け、フックが魚の口部、即ち顎（又は唇ともいう）の一部を貫通状態に引っ掛ける。この引っ掛け状態は、好ましくは、フックが魚の口外から魚の下顎を貫通して魚の口内へ達する状態である。この状態において、速やかにホールドレバーを前進位置とすることにより、フックの先端部分にホールドレバーが存在することとなり、魚が暴れた場合等においても、魚がフックから外れないようにホールドレバーが作用する。即ち、フックとホールドレバーの協働によって、フックに魚が引っ掛かった状態を保持できる。
このため、魚から釣り針を外す作業中に魚が暴れても、魚がフックから外れない。更に、釣り針を外した後、その魚を船内の生簀に誘導する際にも、魚が暴れても魚がフックから外れない。その魚を船内の生簀に入れる際は、ホールドレバーを後退位置とすることにより、容易にフックから魚を外すことができる。
【００２８】
このようなことから、釣り上げた魚の口部、即ち顎（又は唇ともいう）の一部である下顎を一対の挟持部で挟む形態の比較的小型の魚に適する魚掴み器に比して、本発明の釣り用ギャフは、海の大きな魚を安定して処理する場合に適したものとなる。
【００２９】
また、本発明は、持ち歩きや、釣り人が腰に取り付けたベルト等にぶら下げ状態で携行することに適した短尺タイプの釣り用ギャフを提供できると共に、ホールドレバーの存在によって、釣り用ギャフの持ち歩きや、釣り用ギャフを釣り人が腰に取り付けたベルト等にぶら下げ状態で携行する際等において、先鋭なフック先端部に触れて怪我しない状態を保持できるようにする。
【００３０】
更に、本発明は、ホールドレバーが前進位置となるよう作用するバネ部材と、バネ部材の付勢に抗してホールドレバーを後退位置とする操作部を備えたことにより、フックに魚を引っ掛けたときは、速やかにホールドレバーが進出できるため、フックから魚が外れない状態を維持できる。
また、本発明の釣り用ギャフを使用しないときは、バネ部材の付勢によってホールドレバーが前進位置を保つことにより、ホールドレバーを設けない場合に比して、フックの先端の尖った部分によって怪我する等のアクシデントから保護できるものとなる。
【００３１】
また、ホールドレバーの前進状態を保持するロック機構を設けることにより、魚が暴れても魚がフックから外れないように保持できる。また、釣り用ギャフを使用しないときの安全確保が更に向上する。
【００３２】
また、本発明では、ホールドレバーは、本体部材に形成した溝に案内されて前進及び後退動作をするため、前進及び後退動作を安定して行える。また、前進位置においてフックの先端部に対する位置決めができるため、魚が暴れた場合、フックとホールドレバーの協働により、フックから魚が外れない釣り用ギャフを構成できるものとなる。
【００３３】
また、本発明では、第１本体部材３Ａと第２本体部材３Ｂとの間に機能部品を配置し、ロックレバーと操作部は、握り部を握る片手にて操作可能配置であるため、取り扱い易い短尺タイプに適したコンパクトな釣り用ギャフを構成できるものとなる。
【図面の簡単な説明】
【００３４】
【図１】本発明に係る釣り用ギャフの左側面図である。
【図２】本発明に係る釣り用ギャフの分解斜視図である。
【図３】本発明に係る釣り用ギャフのホールドレバーが前進位置にある状態を示す説明図である。
【図４】本発明に係る釣り用ギャフのホールドレバーを前進位置に保持する第１ロック機構３０の説明図である。
【図５】本発明に係る釣り用ギャフのホールドレバーが中間位置にある状態を示す説明図である。
【図６】本発明に係る釣り用ギャフのホールドレバーが後退位置にある状態を示す説明図である。
【図７】本発明に係る釣り用ギャフのホールドレバーを後退位置に保持する第２ロック機構４０の説明図である。
【図８】本発明に係る釣り用ギャフの上面図である。
【図９】本発明に係る釣り用ギャフの下面図である。
【図１０】本発明に係る釣り用ギャフのフックの第１実施例である。
【図１１】図１０のフックの上面図である。
【図１２】本発明に係る釣り用ギャフのフックの第２実施例である。
【図１３】図１２のフックの上面図である。
【図１４】本発明に係る釣り用ギャフの左側面図に断面部分を示す表示図である。
【図１５】図１４のＡ−Ａ断面の拡大図である。
【図１６】図１４のＢ−Ｂ断面の拡大図である。
【図１７】図１４のＣ−Ｃ断面の拡大図である。
【図１８】図１４のＤ−Ｄ断面の拡大図である。
【発明を実施するための形態】
【００３５】
本発明の釣り用ギャフは、後部に握り部を備え先方へ延びた本体部と、前記本体部から先方へ延びた魚引っ掛け用フックと、前記フックの尖った先端に対して近接または当接する前進位置と前記フックの先端から離れる後退位置とに移動可能に前記本体部に配置されたホールドレバーと、を備える。前記後退位置は、前記フックに魚を引っ掛け可能な状態であり、前記前進位置は、前記フックに引っ掛かった魚が外れることを前記ホールドレバーが阻止する阻止状態となる構成である。
【実施例１】
【００３６】
以下、本発明に係る釣り用ギャフの実施例を図に基づき説明する。
図において、釣り用ギャフ１の形態は、先方（前方）へ延びた本体部３の後部に、釣り人が片手で握る形態の握り部２（グリップ部２ともいう）を備え、本体部３の前部に本体部３から先方（前方）へ延びた魚引っ掛け用フック４を備え、フック４の先端部４Ｃの先端４Ｐに対して近接または当接する前進位置と、フック４に魚を引っ掛け可能位置までフック４の先端４Ｐから離れる後退位置とに移動可能にホールドレバー５を本体部３に備えている。
【００３７】
本体部３は、握り部２から先方（前方）へ向けて所定の間隔Ｔを保った状態で、左右並行配置に組み立てられる右側の第１本体部材３Ａと左側の第２本体部材３Ｂとで構成される。第１本体部材３Ａと第２本体部材３Ｂは、アルミニウム等のように成形に適し防錆効果と所定の強度が得られる金属等の材質で構成され、前後方向に延びる平板状をなす。右側の第１本体部材３Ａと左側の第２本体部材３Ｂとの対向面（内側面）はそれぞれ平面状をなし、第１本体部材３Ａと第２本体部材３Ｂは、後述の間隔体ＫＴでもって所定間隔Ｔを保つ状態で、ネジ結合等によって左右並行配置に組み立てられる構成である。右側の第１本体部材３Ａと左側の第２本体部材３Ｂは、異なる厚さでもよいが実施例では同じ厚さで構成している。所定間隔Ｔは、実施例では７ｍｍでる。
【００３８】
間隔体ＫＴは、第１本体部材３Ａまたは第２本体部材３Ｂと一体形成でもよく、また別形成の間隔体ＫＴを第１本体部材３Ａまたは第２本体部材３Ｂに取り付ける構成のいずれでもよい。それによって、第１本体部材３Ａと第２本体部材３Ｂとは、所定間隔Ｔを保って平行状態の配置である。
【００３９】
握り部２（グリップ部２ともいう）は、握り本体２Ｇを覆うように前面開口の円筒形状のグリップベース２Ａが取り付けられ、握り本体２Ｇの先端部にジョイント２Ｂを有する。本体部３は、右側の第１本体部材３Ａの後端部と左側の第２本体部材３Ｂの後端部にそれぞれ突出形成した結合部３Ｊを有する。ジョイント２Ｂと結合部３Ｊは結合部２Ｋを構成し、ジョイント２Ｂを左右の結合部３Ｊで挟む状態で、ネジ２５によって両者が結合され一体化される。
【００４０】
グリップベース２Ａは、釣り人が握ったとき、硬く滑る感触でなく、耐水性があって滑らず若干柔らか味が感じられるようなゴムや合成樹脂で構成される。
【００４１】
フック４は、ステンレス等のように防錆効果と強度が得られる金属等の材質で構成され、先端４Ｐの尖った鈎状に曲がった魚引っ掛け用フック形態であり、本体部３に固定される基部４Ａと、基部４Ａから先方へ延びつつ後方へ曲線状に屈曲した中間部４Ｂと、中間部４Ｂから後方へ向けて尖った先端部４Ｃを備える鈎状をなす。
【００４２】
実施例では、フック４は、所定の幅と所定の厚さＬＪの板状であり、基部４Ａは前記間隔体ＫＴの役目をすべく平板状をなす。フック４は、ネジ等で構成する複数の固定子６によって、第１本体部材３Ａと第２本体部材３Ｂの間に基部４Ａが取り付けられる。実施例では、固定子６はネジ６Ａ及びネジ６Ｂで構成する。実施例では、基部４Ａの厚さＬＪが７ｍｍであり、２個のネジ６Ａによって右側の第１本体部材３Ａの内側面に基部４Ａが取り付けられた状態で、第２本体部材３Ｂを貫通して基部４Ａに螺合するネジ６Ｂによって左側の第２本体部材３Ｂが固定される。
【００４３】
なお、フック４は、基部４Ａが前記間隔体ＫＴの役目をすべく平板状をなし、中間部４Ｂから先端部４Ｃに掛けて円形状、長円形状等のように丸みのある断面形状であってもよい。
【００４４】
フック４の先端部４Ｃは、魚の口部、特に下顎部分を容易に貫通できるようにするために、先端４Ｐが尖った形状が好ましい。フック４の中間部４Ｂは、内側面と外側面の隅部がエッジとならないように、直線状に面取りされるかまたは丸みを帯びている。これによって、釣り人等がフック４に触れたときに怪我しないことと、フック４が魚の下顎部分を貫通した状態で魚が暴れても、魚の下顎が切れないように考慮されている。
【００４５】
図１０及び図１１は、フック４の中間部４Ｂの内側面と外側面の隅部がエッジ形成されないように面取りされる形態であり、それを２点鎖線で示している。図１２及び図１３は、フック４の中間部４Ｂの内側面と外側面の隅部が明確にＣ面取りされた形態である。実施例のフック４は、図１０及び図１１の形態である。
【００４６】
ホールドレバー５は、フック４に引っ掛かった魚を外れないように阻止するものであり、亜鉛、ステンレス等のように防錆効果と所定の強度が得られる材質で構成され、所定の厚さＬＫを有する。ホールドレバー５は、前進位置にてフック４の先端４Ｐに対して近接または当接する関係である。実施例では、図１及び図３に示すように、前進位置に進出したホールドレバー５の先端部５Ｐの位置が、フック４の尖った先端４Ｐの延長線上で先端４Ｐに当接または近接する位置である。このため、ホールドレバー５は前進位置にてフック４の先端４Ｐがホールドレバー５の先端部５Ｐによって覆われる状態となる。これによって、フック４の尖った先端４Ｐに釣り人等が触れて怪我することが抑止される。
【００４７】
ホールドレバー５は、前記前進位置にてフック４の先端４Ｐに対して近接または当接する関係であればよい。このため、上記の構成に替わって、ホールドレバー５が前記前進位置にて、ホールドレバー５の先端部５Ｐがフック４の先端部４Ｃの内側面４ＣＵの先端４Ｐに近い部分に当接または近接する構成とすることができる。この場合、ホールドレバー５の先端部５Ｐの外側面５ＰＵ（図１、図３に示す下側面５ＰＵ）が、フック４の先端４Ｐと同一面（外側面５ＰＵの延長線上に先端４Ｐが位置する状態）、または先端４Ｐの若干前方位置（外側面５ＰＵの延長線から食み出ない内側位置に先端４Ｐが位置する状態）となるように構成する。これによって、フック４に引っ掛かった魚を外れないようにホールドレバー５が抑止すると共に、フック４の先端４Ｐに釣り人等が触れて怪我することがホールドレバー５によって抑止される。
【００４８】
また、ホールドレバー５の先端部５Ｐとフック４の先端４Ｐの関係として、ホールドレバー５の先端部５Ｐに、フック４の尖った先端４Ｐが没入する凹部または溝を設けることによって、ホールドレバー５が前進位置へ進出した状態で、前記凹部または溝内にフック４の尖った先端４Ｐが位置する（先端４Ｐの若干前方位置で外側面５ＰＵの延長線から食み出ない内側位置に先端４Ｐが位置する）こととなり、ホールドレバー５によって、フック４に引っ掛かった魚を外れないように抑止できると共に、フック４の先端４Ｐに釣り人等が触れて怪我することが抑止される。この場合、前記凹部または溝は、フック４の先端４Ｐに対応する面が開放すると共に、先端部５Ｐの前方（先方）に開放することにより、ホールドレバー５の前進及び後退の動作が円滑に行える。
【００４９】
ホールドレバー５は、前進位置と後退位置とに安定的に作動できるようにするために、ホールドレバー５は、第１本体部材３Ａ、第２本体部材３Ｂ、またはこれらの双方に形成した斜め前方に向く直線状の案内溝７をガイドとして前後移動可能に保持されている。
【００５０】
案内溝７は、第１本体部材３Ａと第２本体部材３Ｂのいずれか一方側に形成する形態でもよいが、実施例では、第１本体部材３Ａと第２本体部材３Ｂの内面に左右対向配置で形成される。この案内溝７は、第１本体部材３Ａ及び／または第２本体部材３Ｂの内面に直接形成した形態でもよいが、ホールドレバー５の動作に伴う摩耗対策の構成とする。即ち、実施例では、第１本体部材３Ａの溝３Ｍに埋め込まれ第２本体部材３Ｂ側に開口したスライドレール７Ａで形成される案内溝７と、第２本体部材３Ｂの溝３Ｍに埋め込まれ第１本体部材３Ａ側に開口したスライドレール７Ｂで形成される案内溝７の構成である。スライドレール７Ａ及び７Ｂは、ステンレス製である。
【００５１】
ホールドレバー５の前後位置にそれぞれ貫通状態に取る付けたガイドピン１３Ａ及び１３Ｂが、ガタツキが抑えられる状態で、第１本体部材３Ａのスライドレール７Ａと第２本体部材３Ｂのスライドレール７Ｂで形成される案内溝７に、前後移動可能に嵌り合う状態である。
【００５２】
第１本体部材３Ａと第２本体部材３Ｂの間に、ホールドレバー５を操作するためのナイロン製の操作部１６と、操作部１６の動作をホールドレバー５に伝達する作動機構部８を備える。
【００５３】
操作部１６は、前後方向に安定的に作動できるようにするために、第１本体部材３Ａ、第２本体部材３Ｂ、またはこれらの双方に形成した前後方向の直線状の案内溝２１をガイドとして前後移動可能に保持されている。案内溝２１は、第１本体部材３Ａと第２本体部材３Ｂのいずれか一方側に形成する形態でもよいが、実施例では、第１本体部材３Ａと第２本体部材３Ｂの内面に左右対向配置で形成される。操作部１６は、この左右の案内溝２１に嵌り合うスライド部１６Ａが左右に形成され、下方に指掛け部１６Ｃを形成する。
【００５４】
作動機構部８は、第１本体部材３Ａと第２本体部材３Ｂのいずれか一方の内面側に取り付けられている。実施例では、第１本体部材３Ａの内面に可動状態に取り付けている。作動機構部８は、それぞれアルミニウム製の平板状の第１作動部材８１とステンレス製の平板状の第２作動部材８２を有する。
【００５５】
操作部１６は、上部前部に第１作動部材８１の一端部（後端部）を回動可能に連結する薄肉の連結部１６Ｂを有し、連結部１６Ｂの貫通孔１６Ｄに真鍮製のカラーである軸受け９Ｋが嵌合され、ステンレス製の軸部９が軸受け９Ｋを貫通する。第１作動部材８１の一端部（後端部）は、連結部１６Ｂの第１本体部材３Ａ側において、軸部９に回動可能に支持される。
【００５６】
第２作動部材８２は、その一端部（下後端部）がステンレス製の軸部１０によって第１本体部材３Ａに回動可能に支持され、中間部が第１作動部材８１の他端部（前端部）にステンレス製の軸部１１によって回動可能に連結される。第２作動部材８２は、中間部から先方（上前方）に屈曲する長孔のガイド孔１２を有する。
【００５７】
ホールドレバー５は、第１本体部材３Ａの内面と第２本体部材３Ｂの内面に沿って移動するために、所定間隔Ｔの厚さ７ｍｍよりも僅かに薄い厚さであるが、ガイドピン１３Ａの周辺のホールドレバー５の上部が、第２作動部材８２のガイド孔１２の周縁部と重なる配置である。このため、その重なるホールドレバー５の領域が、第２作動部材８２の分だけ薄くなっている。
【００５８】
軸部１０は、前記所定の間隔Ｔを保つための間隔体ＫＴの役目をさせる部分であり、所定長さに形成されている。軸部１０は、小径軸部１０Ａと大径軸部１０Ｂを有し、第１本体部材３Ａの外側から第１本体部材３Ａを貫通して大径軸部１０Ｂに螺合するステンレス製のネジ１７Ａによって第１本体部材３Ａの内面に取り付けられた状態で、第２本体部材３Ｂの外側から第２本体部材３Ｂを貫通して小径軸部１０Ａに螺合するステンレス製のネジ１７Ｂによって左側の第２本体部材３Ｂが固定される。
この状態で、第２作動部材８２が、大径軸部１０Ｂと第２本体部材３Ｂとの間で、小径軸部１０Ａを軸として第２本体部材３Ｂの内面に沿って回動可能である。更に、大径軸部１０Ｂの長さによって第１作動部材８１が軸部９を中心とした回動動作を行う間隔が確保される。
【００５９】
第２作動部材８２の回動動作によってホールドレバー５が円滑に進出及び後退動作するために、ガイド孔１２には、ガイド孔１２に沿って移動するように、ステンレス製のガイドピン１３Ａに取り付けたステンレス製のベアリング１３Ｃが嵌り合っている。ガイドピン１３Ａにはベアリング１３Ｃの内輪が取り付けられ、ベアリング１３Ｃの外輪がガイド孔１２に嵌り合う関係である。
【００６０】
このような構成によって、ガイドピン１３Ａの一端部はスライドレール７Ａの案内溝７に嵌り、ガイドピン１３Ａの他端部はスライドレール７Ｂの案内溝７に嵌る関係であるため、後述のように、第２作動部材８２が小径軸部１０Ａを中心として前後に回動した場合、それに伴ってベアリング１３Ｃの外輪がガイド孔１２に沿って相対移動し、ガイドピン１３Ａ及び１３Ｂがスライドレール７Ａ及び７Ｂに沿って前後に移動し、ホールドレバー５が本体部３に対して前後移動（進出・後退動作）する。
【００６１】
フック４の基部４Ａの下方において第１本体部材３Ａと第２本体部材３Ｂの間隔が所定間隔Ｔ＝７ｍｍを保つために、第１本体部材３Ａの内面側に配置した間隔子（中空筒、カラーともいう）２３を設ける。間隔子２３は、第１本体部材３Ａの外側から第１本体部材３Ａを貫通して間隔子２３に螺合するステンレス製のネジ２４Ａによって第１本体部材３Ａの内面に取り付けられた状態で、第２本体部材３Ｂの外側から第２本体部材３Ｂを貫通して間隔子２３に螺合するステンレス製のネジ２４Ｂによって左側の第２本体部材３Ｂが固定される。
【００６２】
釣り用ギャフ１は、ホールドレバー５が前進位置へ進出するための作用力を生じるための第１バネ部材１４を有する。このため、第１バネ部材１４は、ホールドレバー５、作動機構部８または操作部１６のいずれかを付勢すればよい。
実施例では、操作部１６を付勢する構成である。第１バネ部材１４は、操作部１６を常時前方へ押圧するステンレス製のコイルバネ形態をなし、後端部が本体部３に設けたアルミニウム製のスプリングホルダー１５の孔に保持され、前端部が操作部１６の孔に保持されている。
【００６３】
スプリングホルダー１５は、前記間隔体ＫＴの役目をする部分であり、所定間隔Ｔ＝７ｍｍを保つべく所定厚さに形成され、第１本体部材３Ａと第２本体部材３Ｂの内面側に形成された窪みに嵌るように取り付けられる。実施例では、スプリングホルダー１５は、第１本体部材３Ａの外側から第１本体部材３Ａを貫通してスプリングホルダー１５に螺合するステンレス製のネジ１８Ａによって第１本体部材３Ａの内面に取り付けられた状態で、第２本体部材３Ｂの外側から第２本体部材３Ｂを貫通してスプリングホルダー１５に螺合するステンレス製のネジ１８Ｂによって左側の第２本体部材３Ｂが固定される。
【００６４】
スプリングホルダー１５を固定部とする第１バネ部材１４のバネ力（付勢力）によって、操作部１６が前方へ押されて移動し、それによって第１作動部材８１が前方へ押される。このため、軸１０を中心として第２作動部材８２が前方へ回動し、ベアリング１３Ｃがガイド孔１２を下方へ移動する関係にて、ガイドピン１３Ａを介してホールドレバー５が案内溝７に案内されて前方へ移動し、ホールドレバー５の先端部５Ｐがフック４の先端部４Ｃの尖鋭な先端４Ｐに近接または当接する前進位置となる。
この前進位置は、ホールドレバー５の先端部５Ｐがフック４の先端４Ｐの延長線上で、且つ先端４Ｐに近接または当接する状態である。図１及び図３には、ホールドレバー５の先端部５Ｐがフック４の先端４Ｐの延長線上で先端４Ｐに近接した状態を示す。
【００６５】
この前進位置から操作部１６の指掛け部１６Ｃを第１バネ部材１４のバネ力（付勢力）に抗して後方へ引くことにより、第１バネ部材１４は圧縮され、操作部１６の引きに伴って第１作動部材８１が後方へ引かれ、軸１０を中心として第２作動部材８２が後方へ回動する。これによって、ベアリング１３Ｃがガイド孔１２に沿って上方へ移動し、ガイドピン１３Ａを介してホールドレバー５が案内溝７に案内されて後方へ移動する。この途中の状態が図５である。
この状態から更に操作部１６を引くことにより、ガイドピン１３Ａを介してホールドレバー５が案内溝７に案内されて後方へ移動し、ベアリング１３Ｃがガイド孔１２の上端部に位置する状態となり、ホールドレバー５の先端部５Ｐが本体部３内に収容された後退位置となる。この後退位置は図６に示すように、ホールドレバー５の先端部５Ｐがフック４の先端４Ｐから大きく離れ、フック４の先端４Ｐの領域が広く解放され、フック４に魚を引っ掛け可能な状態となる。
【００６６】
釣り用ギャフ１は、ホールドレバー５の前記前進位置と前記後退位置を安定的に維持するためのロック機構５０を備える。ロック機構５０は、前記前進位置を安定的に維持できるようにするための第１ロック機構３０と、前記後退位置を安定的に維持できるようにするための第２ロック機構４０を備える。
【００６７】
図３及び図４に示すように、第１ロック機構３０は、操作部１６の上面部に窪み形成した第１係止部３１と、操作可能に設けられ第１係止部３１に係脱するナイロン製のロックレバー３２と、ロックレバー３２を第１係止部３１に係止するよう常時付勢する第２バネ３３とを備える。第２バネ３３は、ステンレス製のコイルバネ形態である。
【００６８】
ロックレバー３２は、本体部３に回動可能に支持される。実施例では、ロックレバー３２の孔に回転可能に嵌合するステンレス製のシャフト３４を備え、ロックレバー３２は、第１本体部材３Ａと第２本体部材３Ｂのいずれか一方（図では第１本体部材３Ａ）の内面側にシャフト３４に螺合するステンレス製のネジ３５Ａにて取り付けられた状態で、第２本体部材３Ｂを貫通してシャフト３４に螺合するステンレス製のネジ３５Ｂによって、左側の第２本体部材３Ｂが固定される構成である。
シャフト３４は、間隔体ＫＴの役目をする部分として作用させるために、前記所定の間隔Ｔを保つ長さに形成されている。
【００６９】
このような構成によって、図３及び図４に示すように、ホールドレバー５が前記前進位置となったとき、第２バネ３３のバネ力（付勢力）によってロックレバー３２の先端部の係止部３２Ａが第１係止部３１に係止するため、操作部１６を後方へ引くことが阻止され、ホールドレバー５が前記前進位置を保持する。この状態を前進ロック状態という。
このため、図３に示すように、フック４の先端部４Ｃの先端４Ｐがホールドレバー５の先端部５Ｐによって覆われた状態を継続できるため、フック４に魚を引っ掛けた状態を維持できる。また、この状態によって、フック４の先端４Ｐに釣り人等が触れて怪我することが防止される。
【００７０】
図６及び図７に示すように、第２ロック機構４０は、操作部１６の上面部の前端に形成した第２係止部４１と、操作可能に設けられ第２係止部４１に係脱するロックレバー３２と、ロックレバー３２を第２係止部４１に係止するよう常時付勢する第２バネ３３とを備える。
【００７１】
図６及び図７に示すように、ホールドレバー５が前記後退位置となったとき、第２バネ３３のバネ力（付勢力）によってロックレバー３２の先端部の係止部３２Ｂが第２係止部４１に係止するため、操作部１６が第１バネ部材１４のバネ力（付勢力）によって前方へ移動することが阻止され、ホールドレバー５が前記後退位置を保持する。この状態を後退ロック状態という。
このため、図６に示すように、ホールドレバー５の先端部５Ｐがフック４の先端部４Ｃから離れ、フック４の先端部４Ｃの領域が広く解放され、フック４に魚を引っ掛け可能な状態を維持できるため、フック４に魚を引っ掛ける作業がし易くなる。
【００７２】
釣り用ギャフ１は、釣り人が片方の手で握り部２を握った状態で、その手の親指でロックレバー３２の上面後部を押圧操作し、握り部２を握ったその手の親指以外の指、例えば人差し指、中指、薬指のいずれかで操作部１６の指掛け部１６Ｃを後方へ引く操作が困難なく行える構成である。
また、釣り用ギャフ１は、釣り人が片方の手で握り部２を握った状態で、上記の操作を行うと共に、ホールドレバー５が図６に示すような前記後退位置において、釣り上げた魚の下顎目掛けて振り下ろし、フック４の先端部４Ｃが魚の下顎を貫通するように片手操作に適した携行タイプである。
また、釣り人が釣り用ギャフ１を持ち運びする際には、握り部２の後端部に設けた吊り下げ部２Ｆのリング部分２Ｔに吊り下げ用ベルトや紐等を掛け、この吊り下げ用ベルトや紐等を釣り人の腰に巻いたベルトや被服、或いは釣り道具を入れたバッグの部分に引っ掛け、必要に応じてその引っ掛けから釣り用ギャフ１を外して、上記のように使用することができる。
【００７３】
釣り用ギャフ１は、釣りをしない状態では、図１及び図３に示すように、ホールドレバー５を前進位置とするため、図３及び図４に示すように、第２バネ３３のバネ力（付勢力）によってロックレバー３２の先端部の係止部３２Ａが第１係止部３１に係止した前進ロック状態にある。
この状態で、釣りをする際には釣り用ギャフ１を使用できる状態とする場合は、この前進ロック状態において、第２バネ３３のバネ力（付勢力）に抗してロックレバー３２の上面後部を本体部３に向けて押圧することによって、ロックレバー３２の係止部３２Ａが操作部１６の第１係止部３１の係止から外れる。この状態を前進ロック解除状態という。
【００７４】
この前進ロック解除状態において、第１バネ部材１４のバネ力（付勢力）に抗して操作部１６の指掛け部１６Ｃを後方へ引くことにより、作動機構部８を介してホールドレバー５が後退する。その途中の状態は図５に示すように、ロックレバー３２の上面後部の押圧を解除しても、第２バネ３３のバネ力（付勢力）によってロックレバー３２の先端部が操作部１６の上面に載った状態である。
この状態から更に指掛け部１６Ｃを後方へ引く操作の継続によって、図６及び図７に示すように、ホールドレバー５が後退位置となったとき、ロックレバー３２の上面押圧が解除されておれば、第２バネ３３のバネ力（付勢力）によってロックレバー３２の先端部の係止部３２Ｂが第２係止部４１に係止する。このため、操作部１６が第１バネ部材１４のバネ力（付勢力）によって前方へ移動することが阻止され、ホールドレバー５が前記後退位置を保持する後退ロック状態となる。
【００７５】
この後退ロック状態において、釣り人が魚を釣り上げたとき、釣り針を外す際や、魚を生簀に入れる作業の際の魚の運搬時には、フック４を魚の下顎の外側から魚の下顎をフック４が貫通するように操作する。そして、フック４が下顎を貫通した状態で、第２ロック機構４０を解除する。この解除操作は、第２バネ３３のバネ力（付勢力）に抗してロックレバー３２の上面後部を本体部３に向けて押圧することにより、ロックレバー３２の係止部３２Ｂが操作部１６の第２係止部４１の係止から外れる。この状態を後退ロック解除状態という。
【００７６】
この後退ロック解除状態によって、第１バネ部材１４のバネ力（付勢力）によって操作部１６が前方へ押されて移動し、これに伴って作動機構部８を介してホールドレバー５が前進し、図１及び図３のように前進位置へ進出する。この状態で、ロックレバー３２の上面押圧が解除されておれば、図３及び図４に示すように、第２バネ３３のバネ力（付勢力）によってロックレバー３２の先端部の係止部３２Ａが操作部１６の第１係止部３１に係止するため、操作部１６が第１バネ部材１４のバネ力（付勢力）によって前方へ移動することが阻止され、ホールドレバー５が前記前進位置を保持する前進ロック状態となる。
これによって、フック４に引っ掛けた魚はホールドレバー５によってフック４から外れることが阻止されるため、釣り針を外す際や、魚を生簀に入れるための魚の運搬時に魚が暴れても、魚がフック４から外れる虞はない。また、操作部１６を後方へ引くことが阻止される。
【００７７】
魚を生簀まで運び生簀に入れる際には、前記前進ロック状態を解除してフック４から魚を外す必要がある。このため、上記のように、ロックレバー３２の上面後部を押圧して前進ロック解除状態とし、操作部１６の指掛け部１６Ｃを後方へ引いて、図６及び図７に示すように、ホールドレバー５が後退位置となる後退ロック状態とする。これによってフック４から魚を外すことが容易となる。
【００７８】
上記のような片手操作に適し、且つ持ち運びに適する携行タイプとするために、釣り用ギャフ１は、図１及び図９に示すように、握り部２の後端からフック４の先までの全長ＬＡ＝２５０ｍｍ乃至４００ｍｍ、握り部２の外形は直径ＬＥ＝３０ｍｍ±５ｍｍ、握り部２の後端部に設けた吊り下げ部２Ｆの外形は直径ＬＦ＝３５ｍｍ±５ｍｍ、本体部３の厚さＬＧ＝１７ｍｍ±５ｍｍ、本体部３から外側へ突出するネジを含めた本体部３の最大厚さＬＨ＝２０ｍｍ±５ｍｍ、第１本体部材３Ａと第２本体部材３Ｂの間隔Ｔ＝７ｍｍ±３ｍｍ、フック４の厚さＬＪ＝８ｍｍ±３ｍｍ、ホールドレバー５の厚さＬＫ＝８ｍｍ±３ｍｍ、上下方向の長さＬＢはフック４の上端からホールドレバー５の下端までの長さであるためＬＢ＝６５ｍｍ±５ｍｍ、本体部３の上下方向に長さＬＤ＝４６ｍｍ±５ｍｍ、操作部１６の下端からロックレバー３２の上端までの長さＬＣ＝５８ｍｍ±５ｍｍである。
【００７９】
上記のように、本体部３と握り部２の結合によって、握り部２の中心軸線ＮＴは本体部３の中心軸線ＣＴに対して角度α＝５°±２°の傾斜で配置される。この傾斜配置によって、握り部２を片手で握ったときのフック４の向きが、魚に引っ掛け易い所定の向きとなるようにするためである。
この傾斜配置においても、この握り部２は上下方向の長さＬＢ＝６５ｍｍ±５ｍｍの範囲に収められる。
【００８０】
このような構成において、好ましい形態の携行タイプとして、実施例のものは、全長ＬＡ＝３００ｍｍ、握り部２の直径ＬＦ＝３０ｍｍ、吊り下げ部２Ｆの外形は直径ＬＦ＝３５ｍｍ、本体部３の最大厚さＬＨ＝２０ｍｍ、上下方向の最大長さＬＢ＝６５ｍｍ、フック４の厚さＬＪ＝７ｍｍ、ホールドレバー５の厚さＬＫ＝６．８ｍｍであり、これによって所期の目的を達成できるものである。
【００８１】
釣り用ギャフ１の組み立てについて説明する。
第２本体部材３Ｂの内面側にスライドレール７Ｂが取り付けられる。
第１本体部材３Ａまたは第２本体部材３Ｂの一方の内側面に、魚引っ掛け用フック４、ホールドレバー５、第１バネ部材１４、ロック機構５０、操作部１６、及び作動機構部８が取り付けられ、第１本体部材３Ａまたは第２本体部材３Ｂの他方がその一方に所定間隔を存して外面からネジ結合される。
【００８２】
また、釣り用ギャフ１の組み立て及び内部の点検をし易くするために、第１本体部材３Ａの内面側には、フック４、ホールドレバー５及びホールドレバー５の動作に係る機構のすべての部品が取り付けられ、それらの部品を覆う状態で第２本体部材３Ｂがネジ止めされる。
具体的には、第１本体部材３Ａの内面側には、フック４、ホールドレバー５、スライドレール７Ａ、第１作動部材８１、第２作動部材８２、軸部１０、軸部１１、ガイドピン１３Ａ及び１３Ｂ、ベアリング１３Ｃ、スプリングホルダー１５、軸部９と軸受け９Ｋを含めた操作部１６、シャフト３４を含むロックレバー３２、間隔子２３、第１バネ部材１４、第２バネ３３が、上記のようにネジで取り付けられ、これらを覆うように第２本体部材３Ｂを上記のようにネジにて取り付けることによって、第１本体部材３Ａと第２本体部材３Ｂが並行配置状態で連結される。
【００８３】
第１本体部材３Ａと第２本体部材３Ｂが並行配置状態で連結した後、これらの後端部の結合部３Ｊがジョイント２Ｂを左右から挟む状態で、ネジ２５によって本体部３と握り部２が結合される。そして、ジョイント２Ｂと結合部３Ｊを結合する結合部２Ｋを覆うように、握り本体２Ｇにグリップベース２Ａを取り付ける。
この結合によって、本体部３に対して握り部２が後下方に向けて所定角度αに低く傾斜した状態となり、フック４への魚の引っ掛け操作や、ホールドレバー５の前進及び後退がし易い状態となる。
【００８４】
このように組み立てられた釣り用ギャフ１は、操作部１６及びロックレバー３２の操作によって、ホールドレバー５が先進及び後退の動作をすることができる。
【００８５】
上記のように、フック４は、本体部３に固定される基部４Ａと、基部４Ａから先方へ延び後方へ屈曲した中間部４Ｂと、中間部４Ｂから斜め後方へ向けて尖った先端部４Ｃを備え、前進位置に進出したホールドレバー５の先端部５Ｐの位置が、フック４の中間部４Ｂの前端位置よりも後方位置となる関係に構成されている。
これによって、釣り用ギャフ１を使用しないときや運搬時において、フック４の先端４Ｐに釣り人等が触れて怪我することがホールドレバー５によって抑止されると共に、フック４の先端４Ｐやホールドレバー５の先端部５Ｐの保護ができるものとなる。
【００８６】
また、特願２０１２−２８８３２９のように、握り部２に対して本体部３を回転可能に連結し、本体部３に所定値以上の回転方向の作用力が働くまで、握り部２に対して本体部３を回転させない制動力装置を握り本体２Ｇに設ける構成とすることにより、フック４への魚の引っ掛け操作を確保し、フック４に引っ掛けた魚が暴れた場合は、握り部２を握った手への負荷の軽減が可能となる。
【００８７】
本発明に係る釣り用ギャフ１は、上記実施例に限定されず、種々の形態のものに適用できるものであり、本発明の技術範囲において種々の形態を包含するものである。
【符号の説明】
【００８８】
１・・・・・釣り用ギャフ
２・・・・・握り部
３・・・・・本体部
３Ａ・・・・第１本体部材
３Ｂ・・・・第２本体部材
４・・・・・魚引っ掛け用フック
５・・・・・ホールドレバー
７・・・・・案内溝
８・・・・・作動機構部
８１・・・・第１作動部材
８２・・・・第２作動部材
９・・・・・軸部
１０・・・・軸部
１１・・・・軸部
１２・・・・ガイド孔
１３Ａ、１３Ｂ・・・・ガイドピン
１３Ｃ・・・ベアリング
１４・・・・第１バネ部材
１５・・・・スプリングホルダー
１６・・・・操作部
１６Ｃ・・・指掛け部
３０・・・・第１ロック機構
３１・・・・操作部１６の第１係止部
３２・・・・ロックレバー
３２Ａ・・・ロックレバー３２の係止部
３２Ｂ・・・ロックレバー３２の係止部
３３・・・・第２バネ
４０・・・・第２ロック機構
４１・・・・操作部１６の第２係止部
５０・・・・ロック機構
【図１】
2018033342.tif 000003
【図２】
2018033342.tif 000004
【図３】
2018033342.tif 000005
【図４】
2018033342.tif 000006
【図５】
2018033342.tif 000007
【図６】
2018033342.tif 000008
【図７】
2018033342.tif 000009
【図８】
2018033342.tif 000010
【図９】
2018033342.tif 000011
【図１０】
2018033342.tif 000012
【図１１】
2018033342.tif 000013
【図１２】
2018033342.tif 000014
【図１３】
2018033342.tif 000015
【図１４】
2018033342.tif 000016
【図１５】
2018033342.tif 000017
【図１６】
2018033342.tif 000018
【図１７】
2018033342.tif 000019
【図１８】
2018033342.tif 000020